(57)【要約】【課題】例えば複数の利用者による記録及びその予約を円滑に行うことができる記録再生装置を提供する。【解決手段】記録再生装置１０の記録管理記憶部２１は、記録管理情報を記憶する。記録管理情報は、利用者識別情報と記録コンテンツ識別情報とが対応付けられた情報である。記録コンテンツは、記録媒体１９へ記録されている。アクセス制御部２９は、記録管理情報に基づいて、記録コンテンツへのアクセス権を制限する。受信部１１は、予約要求情報を、ネットワーク３０経由で他の利用者から受信する。予約要求情報は、利用者識別情報と予約要求コンテンツ識別情報とが対応付けられた情報である。予約要求コンテンツは、記録媒体１９へ記録されることの予約が要求される。送信部１２は、記録削除依頼情報をネットワーク３０経由で利用者に送信する。記録削除依頼情報は、記録コンテンツを記録媒体１９から削除する依頼に関する情報である。【選択図】図１０
2007325232.tif 000002
【特許請求の範囲】
【請求項１】
複数の利用者によりネットワーク経由で利用される記録再生装置であって、
記録媒体に対して複数のコンテンツを記録再生する記録再生手段と、
前記記録媒体に記録されている前記複数のコンテンツの記録を指示した利用者と前記記録媒体に記録されているコンテンツとを対応付ける記録管理情報を記憶する記録管理記憶部と、
前記記録管理情報に基づいて、前記記録媒体に記録された前記記録コンテンツへのアクセスを制限するアクセス制御部と、
前記記録媒体に対して指定された時間に指定されたコンテンツを記録するよう予約するための予約要求情報を、前記ネットワーク経由で前記複数の利用者のうちいずれかの利用者から受信する受信部と、
前記予約要求情報を前記受信部が受信したことに応じて、前記記録媒体に記録されている前記複数のコンテンツのうち、前記予約要求情報を送信した第２利用者以外の第１利用者に対応付けられた記録コンテンツを検出する検出処理を行うとともに、前記検出処理により検出された記録コンテンツの中から削除候補の記録コンテンツを決定する決定処理を行う決定部と、
前記決定部により前記削除候補の記録コンテンツが決定されたことに応じて、前記記録コンテンツを前記記録媒体から削除する依頼に関する記録削除依頼情報を生成する生成部と、
前記記録削除依頼情報を前記ネットワーク経由で前記第１利用者に送信する送信部と、
を備えたことを特徴とする記録再生装置。
【請求項２】
前記受信部は、前記記録削除依頼情報に対する応答として、前記記録コンテンツを前記記録媒体から削除する許可に関する情報である記録削除許可情報を、前記ネットワーク経由で前記第１利用者からさらに受信し、
前記記録削除許可情報を前記受信部が受信したことに基づいて、前記削除候補の記録コンテンツを前記記録媒体から削除する削除部をさらに備えた
ことを特徴とする請求項１に記載の記録再生装置。
【請求項３】
前記記録媒体の空き容量を検出する空き容量検出部と、
前記予約要求情報に基づいて、前記予約要求情報において指定されたコンテンツを記録するために必要な容量である予約容量を算出する算出部と、
前記算出部により算出された予約容量及び前記空き容量検出部により検出された空き容量の情報に基づいて、前記予約要求情報において指定されたコンテンツを前記記録媒体へ記録することが可能か否かを判定する判定部と、
をさらに備えた
ことを特徴とする請求項１又は２に記載の記録再生装置。
【請求項４】
前記送信部は、前記予約要求コンテンツを前記記録媒体へ記録することが不可能であると前記判定部が判定した場合に、前記記録削除依頼情報を前記ネットワーク経由で前記第１利用者に送信する
ことを特徴とする請求項３に記載の記録再生装置。
【請求項５】
前記複数の利用者と、前記複数の利用者により記録媒体へ記録されることが予約されている予約済みコンテンツとを対応付ける予約管理情報を記憶する予約管理記憶部をさらに備え、
前記送信部は、前記予約管理情報に基づいて、前記予約済みコンテンツに関する記録の予約を削除する依頼に関する情報である予約削除依頼情報を、前記ネットワーク経由で前記第１利用者にさらに送信する
ことを特徴とする請求項１から４のいずれか１項に記載の記録再生装置。
【請求項６】
前記複数のコンテンツのそれぞれは、無線放送で配信されるデータ、有線放送で配信されるデータ及び前記ネットワークを経由して配信されるデータの少なくとも１つである
ことを特徴とする請求項１から５のいずれか１項に記載の記録再生装置。
【請求項７】
前記予約要求情報は、前記第２利用者の電子メールアドレスを含み、
前記送信部は、前記第１利用者の電子メールアドレスに従い、前記記録削除依頼情報を電子メールで送信する
ことを特徴とする請求項１から６のいずれか１項に記載の記録再生装置。
【請求項８】
前記予約要求情報を前記受信部が受信したことに基づいて、前記記録媒体に記録されているコンテンツの低画質変換処理、及び前記記録媒体に記録されているコンテンツの圧縮処理の少なくとも一方を行う容量低減部をさらに備えた
ことを特徴とする請求項１から７のいずれか１項に記載の記録再生装置。
【請求項９】
前記送信部は、前記予約要求情報を前記受信部が受信したことに基づいて、前記記録コンテンツを前記記録媒体から削除する依頼の有効期限に関する情報である有効期限情報を、前記ネットワーク経由で前記第１利用者にさらに送信する
ことを特徴とする請求項１から８のいずれか１項に記載の記録再生装置。
【請求項１０】
前記予約要求情報は、前記第２利用者を識別するための予約利用者識別情報を含み、
前記記録管理情報は前記利用者を識別するための利用者識別情報を含み、
前記決定部は、前記予約利用者識別情報と前記利用者識別情報とに基づいて、前記第１利用者の記録コンテンツを検出する
ことを特徴とする請求項１記載の記録再生装置。
【請求項１１】
前記送信部は、前記予約要求情報を前記受信部が受信したことに基づいて、前記記録削除依頼情報を、前記ネットワーク経由で周期的に複数回前記第１利用者に送信する
ことを特徴とする請求項１から１０のいずれか１項に記載の記録再生装置。
【請求項１２】
請求項１から１１のいずれか１項に記載の記録再生装置と、
前記ネットワークを介して前記記録再生装置に接続され、前記第１利用者により利用される端末である第１端末と、
前記ネットワークを介して前記記録再生装置に接続され、前記第２利用者により利用される端末である第２端末と、
を備え、
前記第２端末は、前記予約要求情報を前記ネットワーク経由で前記記録再生装置へ送信し、
前記第１端末は、前記記録削除依頼情報を前記ネットワーク経由で前記記録再生装置から受信する
を特徴とする記録再生システム。
【請求項１３】
複数の利用者によりネットワーク経由で利用される記録再生システムであって、
第１利用者により利用される第１端末と、
第２利用者により利用される第２端末と、
前記第１端末及び前記第２端末に前記ネットワークを介して接続された記録再生装置と、
前記第１端末、前記第２端末及び前記記録再生装置に前記ネットワークを介して接続された中継装置と、
を備え、
前記記録再生装置は、
記録媒体に対して複数のコンテンツを記録再生する記録再生手段と、
前記記録媒体に記録されている前記複数のコンテンツの記録を指示した利用者と前記記録媒体に記録されているコンテンツとを対応付ける記録管理情報を記憶する記録管理記憶部と、
前記記録管理情報に基づいて、前記記録媒体に記録された前記記録コンテンツへのアクセスを制限するアクセス制御部と、
前記記録媒体に対して指定された時間に指定されたコンテンツを記録するよう予約するための予約要求情報を、前記ネットワーク経由で前記中継装置から受信する受信部と、
前記予約要求情報を前記受信部が受信したことに応じて、前記記録媒体に記録されている前記複数のコンテンツのうち、前記予約要求情報を送信した第２利用者以外の第１利用者に対応付けられた記録コンテンツを検出する検出処理を行うとともに、前記検出処理により検出された記録コンテンツの中から削除候補の記録コンテンツを決定する決定処理を行う決定部と、
前記決定部により前記削除候補の記録コンテンツが決定されたことに応じて、前記記録コンテンツを前記記録媒体から削除する依頼に関する記録削除依頼情報を生成する生成部と、
前記記録削除依頼情報を前記ネットワーク経由で前記中継装置に送信する送信部と、
を含み、
前記中継装置は、前記予約要求情報を前記ネットワーク経由で前記第２端末から受信し、前記記録削除依頼情報を前記ネットワーク経由で前記第１端末へ送信する
ことを特徴とする記録再生システム。
【請求項１４】
複数の利用者によりネットワーク経由で、記録媒体に対して複数のコンテンツが記録再生される記録再生方法であって、
前記記録媒体に記録されている前記複数のコンテンツの記録を指示した利用者と前記記録媒体に記録されているコンテンツとを対応付ける記録管理情報を記憶する第１ステップと、
前記記録管理情報に基づいて、前記記録媒体に記録された前記記録コンテンツへのアクセスを制限する第２ステップと、
前記記録媒体に対して指定された時間に指定されたコンテンツを記録するよう予約するための予約要求情報を、前記ネットワーク経由で前記複数の利用者のうちいずれかの利用者から受信する第３ステップと、
前記予約要求情報を前記受信部が受信したことに応じて、前記記録媒体に記録されている前記複数のコンテンツのうち、前記予約要求情報を送信した第２利用者以外の第１利用者に対応付けられた記録コンテンツを検出する検出処理を行うとともに、前記検出処理により検出された記録コンテンツの中から削除候補の記録コンテンツを決定する決定処理を行う第４ステップと、
前記決定部により前記削除候補の記録コンテンツが決定されたことに応じて、前記記録コンテンツを前記記録媒体から削除する依頼に関する記録削除依頼情報を生成する第５ステップと、
前記記録削除依頼情報を前記ネットワーク経由で前記第１利用者に送信する第６ステップと、
を備えたことを特徴とする記録再生方法。
【請求項１５】
複数の利用者によりネットワーク経由で、記録媒体に対して複数のコンテンツを記録再生装置に記録再生させる記録再生プログラムであって、
前記記録媒体に記録されている前記複数のコンテンツの記録を指示した利用者と前記記録媒体に記録されているコンテンツとを対応付ける記録管理情報を記憶する第１ステップと、
前記記録管理情報に基づいて、前記記録媒体に記録された前記記録コンテンツへのアクセスを制限する第２ステップと、
前記記録媒体に対して指定された時間に指定されたコンテンツを記録するよう予約するための予約要求情報を、前記ネットワーク経由で前記複数の利用者のうちいずれかの利用者から受信する第３ステップと、
前記予約要求情報を前記受信部が受信したことに応じて、前記記録媒体に記録されている前記複数のコンテンツのうち、前記予約要求情報を送信した第２利用者以外の第１利用者に対応付けられた記録コンテンツを検出する検出処理を行うとともに、前記検出処理により検出された記録コンテンツの中から削除候補の記録コンテンツを決定する決定処理を行う第４ステップと、
前記決定部により前記削除候補の記録コンテンツが決定されたことに応じて、前記記録コンテンツを前記記録媒体から削除する依頼に関する記録削除依頼情報を生成する第５ステップと、
前記記録削除依頼情報を前記ネットワーク経由で前記第１利用者に送信する第６ステップと、
を実行させることを特徴とする記録再生プログラム。
【発明の詳細な説明】
【技術分野】
【０００１】
本発明は、記録再生装置、記録再生システム、記録再生方法及び記録再生プログラムに関する。
【背景技術】
【０００２】
従来より、複数のコンテンツが記録される記録媒体がネットワーク経由で利用される記録再生装置が提案されている（例えば、特許文献１参照）。
【特許文献１】特開２００２−６４７８５号公報
【発明の開示】
【発明が解決しようとする課題】
【０００３】
特許文献１の技術では、利用者により、記録媒体へのコンテンツの記録がネットワークを介して予約される。このとき、予約されたコンテンツが記録媒体へ記録されるためには、記録媒体の残り容量が不足していることがある。このとき、利用者からネットワーク経由で指示されることにより、記録媒体に記録されているコンテンツが選択され削除されて、記録媒体における残り容量が確保されている。
【０００４】
しかし、複数の利用者により記録再生装置が利用される場合、１の利用者により記録されているコンテンツが、１の利用者の同意なしに他の利用者により消去されることがある。この場合、１の利用者と他の利用者との間に争いが発生して、複数の利用者による録画を円滑に行うことができないおそれがある。
【０００５】
一方、複数の利用者により記録再生装置が利用される場合、コンテンツごとにアクセス権が設定されていれば、１の利用者により記録されているコンテンツが、１の利用者の同意なしに他の利用者により消去されることを低減できる。ところが、他の利用者により記録媒体へ記録されることがネットワークを介して予約された際に、予約されたコンテンツが録画されるためには、記録媒体の残り容量が不足していることがある。このとき、１の利用者の同意がない限り１の利用者により記録されているコンテンツを削除することができないので、記録媒体における残り容量を確保できないことがあり、複数の利用者による記録の予約を円滑に行うことができないおそれがある。
【０００６】
本発明の目的は、例えば複数の利用者による記録及びその予約を円滑に行うことができる記録再生装置を提供することにある。
【課題を解決するための手段】
【０００７】
本発明に係る記録再生装置は、複数の利用者によりネットワーク経由で利用される記録再生装置であって、記録再生手段と、記録管理記憶部と、アクセス制御部と、受信部と、決定部と、生成部と、送信部とを備えたことを特徴とする。記録再生手段は、記録媒体に対して複数のコンテンツを記録再生する。記録管理記憶部は、記録管理情報を記憶する。記録管理情報は、記録媒体に記録されている複数のコンテンツの記録を指示した利用者と、記録媒体に記録されているコンテンツとを対応付けた情報である。アクセス制御部は、記録管理情報に基づいて、記録媒体に記録された記録コンテンツへのアクセスを制限する。受信部は、予約要求情報を、ネットワーク経由で複数の利用者のうちいずれかの利用者から受信する。予約要求情報は、記録媒体に対して指定された時間に指定されたコンテンツを記録するよう予約するための情報である。決定部は、検出処理を行うとともに決定処理を行う。検出処理では、予約要求情報を受信部が受信したことに応じて、記録媒体に記録されている複数のコンテンツのうち、第１利用者に対応付けられた記録コンテンツを検出する。第１利用者は、予約要求情報を送信した第２利用者以外の利用者である。決定処理では、検出処理により検出された記録コンテンツの中から、削除候補の記録コンテンツを決定する。生成部は、決定部により削除候補の記録コンテンツが決定されたことに応じて、記録削除依頼情報を生成する。記録削除依頼情報は、記録コンテンツを記録媒体から削除する依頼に関する情報である。送信部は、記録削除依頼情報をネットワーク経由で第１利用者に送信する。
【発明の効果】
【０００８】
本発明に係る記録再生装置では、アクセス権が設定された状態で、複数のコンテンツを記録媒体に記録できる。例えば、記録媒体に記録された記録コンテンツへのアクセスを第１利用者に制限することができる。これにより、コンテンツごとにアクセス権が設定された状態で、複数のコンテンツが記録媒体に記録されるようにすることができる。また、例えば、記録削除依頼情報がネットワーク経由で第１利用者に受信されるようにすることができる。そして、記録コンテンツを記録媒体から削除することを第１利用者が許可すれば、記録媒体において記録を予約するための残り容量を確保できる。このように、アクセス権が設定された状態で、複数のコンテンツを記録媒体に記録でき、記録媒体において記録を予約するための記憶容量を確保できる。これにより、例えば複数の利用者による記録及びその予約を円滑に行うことができる。
【発明を実施するための最良の形態】
【０００９】
＜本発明の好適な第１実施形態に係る記録再生システム＞
本発明の好適な第１実施形態に係る記録再生システムについて、図１〜図２１を参照して説明する。
【００１０】
（記録再生システムの概略構成及び概略動作）
記録再生システム１は、図１に示すように、主として、記録再生装置１０、携帯端末群４０（４０ａ，４０ｂ，・・・）及びネットワーク３０を備える。
【００１１】
記録再生装置１０は、複数のコンテンツが記録される記録媒体１９（図２参照）などを含む。ここで、コンテンツとは、映像、画像、音声などの情報を示す。携帯端末群４０の各携帯端末４０ａ，４０ｂ，・・・は、それぞれ、複数の利用者における各利用者Ｐａ，Ｐｂ，Ｐｃ，・・・により利用される。ネットワーク３０は、記録再生装置１０と携帯端末群４０とを接続している。ネットワーク３０では、例えば、ＰＯＰやＳＭＴＰなどのプロトコルを介して、電子メールサービスなどを利用して情報を送受信することができるようになっている。ＰＯＰは、Ｐｏｓｔ  Ｏｆｆｉｃｅ  Ｐｒｏｔｏｃｏｌの略である。ＳＭＴＰは、Ｓｉｍｐｌｅ  Ｍａｉｌ  Ｔｒａｎｓｆｅｒ  Ｐｒｏｔｏｃｏｌの略である。
【００１２】
複数の利用者Ｐａ，Ｐｂ，Ｐｃ，・・・からの指示の情報は、携帯端末群４０及びネットワーク３０を介して、記録再生装置１０へ送信される。また、記録再生装置１０から送信された情報は、ネットワーク３０及び携帯端末群４０を介して、複数の利用者Ｐａ，Ｐｂ，Ｐｃ，・・・へ伝達される。
【００１３】
このようにして、記録再生装置１０では、複数の利用者Ｐａ，Ｐｂ，Ｐｃ，・・・により、ネットワーク３０経由で、複数のコンテンツが記録される記録媒体１９が利用される。
【００１４】
（記録再生装置の構成）
記録再生装置１０は、図２に示すように、主として、受信部１１、送信部１２、制御部１３、決定部１４、生成部１５、削除部１６、判定部１７、記録媒体１９、演算部３１を備える。記録再生装置１０は、記録管理記憶部２１、利用容量記憶部２２、予約管理記憶部２３、媒体容量記憶部２４及びアクセス制御部２９をさらに備える。
【００１５】
受信部１１及び送信部１２は、それぞれ、制御部１３及びネットワーク３０に接続されている。決定部１４、生成部１５、削除部１６、判定部１７、記録媒体１９、演算部３１、記録管理記憶部２１、利用容量記憶部２２、予約管理記憶部２３、媒体容量記憶部２４及びアクセス制御部２９は、いずれも、制御部１３に接続されている。
【００１６】
（記録再生装置の動作）
記録管理記憶部２１は、記録管理情報群２５を記憶する。記録管理情報群２５は、利用者識別情報（例えば、予約者アドレス）と記録コンテンツ識別情報（例えば、タイトル名）とが対応付けられた情報（記録管理情報）の集まりである（図５参照）。利用者識別情報は、利用者Ｐａ，Ｐｂ，Ｐｃ，・・・を識別する情報である。記録コンテンツ識別情報は、記録コンテンツを識別する情報である。記録コンテンツは、記録媒体１９へ記録されているコンテンツである。
【００１７】
利用容量記憶部２２は、利用容量情報群２６を記憶する。利用容量情報群２６は、記録コンテンツ識別情報と記録コンテンツ容量情報（例えば、データ容量）とが対応付けられた情報（利用容量情報）の集まりである（図７参照）。記録コンテンツ識別情報は、記録管理情報群２５における記録コンテンツ識別情報と同様である。記録コンテンツ容量情報は、記録コンテンツのデータ容量を示す情報である。なお、記録コンテンツのデータ容量は、記録コンテンツが記録媒体１９に記録される際に、演算部３１により予め演算されたものである。
【００１８】
予約管理記憶部２３は、予約管理情報群２７を記憶する。予約管理情報群２７は、利用者識別情報と予約済みコンテンツ識別情報（例えば、タイトル名）とが対応付けられた情報（予約管理情報）の集まりである（図８参照）。利用者識別情報は、記録管理情報群２５における利用者識別情報と同様である。予約済みコンテンツ識別情報は、予約済みコンテンツを識別する情報である。予約済みコンテンツは、記録媒体１９へ記録されることが予約されているコンテンツである。
【００１９】
媒体容量記憶部２４は、媒体容量情報２８を記憶する。媒体容量情報２８は、媒体識別情報と媒体容量情報とが対応付けられた情報である（図９参照）。媒体識別情報は、記録媒体１９を識別する情報である。媒体容量情報は、記録媒体１９の記憶容量を示す情報である。
【００２０】
制御部１３は、コンテンツを記録したいという要求を受け取った場合、コンテンツの情報を記録媒体１９に供給するとともに、利用者識別情報及び記録コンテンツ識別情報を記録管理記憶部２１へ供給する。これにより、記録媒体１９に記録されたコンテンツに関する情報が記録管理記憶部２１に記憶される。
【００２１】
一方、制御部１３は、コンテンツを削除したいという要求を受け取った場合、その要求に関する利用者識別情報及びコンテンツ識別情報をアクセス制御部２９へ供給する。アクセス制御部２９は、それに応じて、制御部１３経由で記録管理記憶部２１を参照し、記録管理情報群２５を取得する。アクセス制御部２９は、その要求に関する利用者識別情報及びコンテンツ識別情報と、記録管理情報群２５とに基づいて、記録媒体１９に記録された記録コンテンツへのアクセスを制御する。すなわち、アクセス制御部２９は、その要求に関するコンテンツ識別情報に対応する利用者識別情報と、その要求に関する利用者識別情報とを比較し、同じであれば削除を制御部１３に許可させ、異なっていれば削除を制御部１３に許可させない。これにより、記録媒体１９では、コンテンツごとにアクセス権が設定された状態になっている。
【００２２】
受信部１１は、予約要求情報をネットワーク３０経由で他の利用者Ｐｂ，Ｐｃ，・・・から受信する。予約要求情報は、利用者識別情報（例えば、送信元アドレス）と、予約要求コンテンツ識別情報（例えば、タイトル名やチャンネル番号）と、予約時間情報と、記録モードとが対応付けられた情報である（図６参照）。利用者識別情報は、他の利用者Ｐｂ，Ｐｃ，・・・を識別する情報である。予約要求コンテンツ識別情報は、予約要求コンテンツを識別する情報である。予約要求コンテンツは、記録媒体１９へ記録されることの予約が要求されるコンテンツである。予約時間情報は、予約要求された番組の時間の情報である。記録モードは、記録時の画質（すなわち、記録データレート又はデータ圧縮率）を指定するためのモードである。受信部１１は、予約要求情報を制御部１３へ渡す。
【００２３】
演算部３１は、制御部１３経由で利用容量記憶部２２を参照して、利用容量情報群２６を取得する。演算部３１は、制御部１３経由で媒体容量記憶部２４を参照して、媒体容量情報２８を取得する。演算部３１は、利用容量情報群２６及び媒体容量情報２８に基づいて、記録媒体１９の空き容量を計算する。
【００２４】
また、演算部３１は、予約要求情報を制御部１３から受け取る。演算部３１は、予約要求された番組の時間の情報と、記録モードの情報とに基づいて、予約容量を演算する。予約容量は、予約要求コンテンツのデータ容量である。演算部３１は、予約容量情報を制御部１３へ渡す。予約容量情報は、予約容量の情報である。
【００２５】
判定部１７は、予約容量情報を制御部１３から受け取る。また、判定部１７は、記録媒体１９の空き容量の情報を、制御部１３経由で演算部３１から受け取る。判定部１７は、予約容量情報と記録媒体１９の空き容量の情報とに基づいて、予約要求コンテンツのデータ容量が記録媒体１９の空き容量以下であるか否かを判断し、予約要求コンテンツを記録媒体へ記録することが可能か否かを判定する。判定部１７は、判定結果に関する情報を制御部１３へ渡す。
【００２６】
決定部１４は、判定結果に関する情報を制御部１３から受け取る。決定部１４は、予約要求コンテンツを記録媒体へ記録することが不可能であるという判定結果を受け取った場合、記録媒体１９から削除する候補を記録コンテンツのいずれかに決定する。すなわち、決定部１４は、予約要求情報を受信部１１が受信したことに基づいて、記録媒体１９から削除する候補を記録コンテンツのいずれかに決定する。決定部１４は、削除する候補を記録コンテンツのいずれかに決定した旨の情報を制御部１３へ渡す。
【００２７】
生成部１５は、削除する候補を記録コンテンツのいずれかに決定した旨の情報を制御部１３から受け取る。そして、生成部１５は、削除する候補を決定部１４が記録コンテンツのいずれかに決定したことに基づいて、記録削除依頼情報を生成する。記録削除依頼情報は、決定された記録コンテンツを記録媒体１９から削除する依頼に関する情報である（図１７参照）。これにより、削除する候補の情報が記録削除依頼情報に反映される。生成部１５は、記録削除依頼情報を制御部１３へ渡す。
【００２８】
送信部１２は、記録削除依頼情報を、制御部１３から受け取り、ネットワーク３０経由で利用者Ｐａ，Ｐｂ，Ｐｃ，・・・に送信する。すなわち、送信部１２は、予約要求コンテンツを記録媒体１９へ記録することが不可能であると判定部１７が判定した場合に、記録削除依頼情報をネットワーク３０経由で利用者Ｐａ，Ｐｂ，Ｐｃ，・・・に送信する。また、送信部は、有効期限情報をネットワーク３０経由で利用者Ｐａ，Ｐｂ，Ｐｃ，・・・にさらに送信する。有効期限情報は、記録コンテンツを記録媒体１９から削除する依頼の有効期限に関する情報である（図１７参照）。
【００２９】
受信部１１は、記録削除許可情報をネットワーク３０経由で利用者Ｐａ，Ｐｂ，Ｐｃ，・・・から受信する。記録削除許可情報は、決定された記録コンテンツを記録媒体１９から削除する許可に関する情報である。受信部１１は、記録削除許可情報を制御部１３へ渡す。
【００３０】
削除部１６は、記録削除許可情報を制御部１３から受け取り、制御部１３経由で記録媒体１９にアクセスするとともに、決定された記録コンテンツを記録媒体１９から削除する。すなわち、削除部１６は、記録削除許可情報を受信部１１が受信したことに基づいて、決定された記録コンテンツを記録媒体１９から削除する。
【００３１】
（記録再生装置のハードウェア構成例）
記録再生装置１０は、例えば、図３に示すように、チューナー５１、エンコーダ５２、ＨＤＤ５３、デコーダ５４、表示部５５、ＣＰＵ５６、メモリ５７、ユーザＩ／Ｆ５８、ネットワークＩ／Ｆ５９及びバス配線６１を備える。
【００３２】
チューナー５１、エンコーダ５２、ＨＤＤ５３、デコーダ５４、表示部５５、ＣＰＵ５６、メモリ５７、ユーザＩ／Ｆ５８及びネットワークＩ／Ｆ５９は、バス配線６１を介して互いに接続されている。すなわち、記録再生装置１０は、バス型の配線構成をしている。
【００３３】
チューナー５１は、映像や音声などのコンテンツを配信する放送局を選局し、地上波又は衛星放送として配信される伝送信号を、映像や音声などのコンテンツを示す情報へと復調する。
【００３４】
エンコーダ５２は、コンテンツを示す情報を、バス配線６１経由でチューナー５１から受け取り、エンコードして圧縮する。
【００３５】
ＨＤＤ５３は、エンコーダ５２から圧縮後の情報（コンテンツの情報）をバス配線６１経由で受け取り記録する。ＨＤＤ５３は、上述の記録媒体１９に相当する。
【００３６】
デコーダ５４は、圧縮後の情報（コンテンツの情報）をバス配線６１経由でＨＤＤ５３から受け取り伸張してデコードする。
【００３７】
表示部５５は、デコード後の情報（コンテンツの情報）をバス配線６１経由でデコーダ５４から受け取りディスプレイなどに表示する。
【００３８】
ネットワークＩ／Ｆ５９は、ネットワーク３０とのインターフェースである。ネットワークＩ／Ｆ５９は、上述の受信部１１及び送信部１２に相当する。
【００３９】
ユーザＩ／Ｆ５８は、リモコンからの信号を受信する装置や、直接入力されるためのボタンなど、ネットワーク３０を介さずに直接利用される場合のインターフェースとなる部分である。
【００４０】
メモリ５７は、コンテンツ管理テーブル６２、録画予約管理テーブル６３及び記録再生プログラム６４などを記憶する。メモリ５７は、上述の記録管理記憶部２１、利用容量記憶部２２、予約管理記憶部２３及び媒体容量記憶部２４に相当する。コンテンツ管理テーブル６２は、上述の記録管理情報群２５に相当し、録画予約管理テーブル６３は、上述の予約管理情報群２７に相当する。
【００４１】
また、メモリ５７は、後述のＣＰＵ５６が記録再生プログラム６４を実行した際に、必要な情報を一時的に記憶する。
【００４２】
ＣＰＵ５６は、記録再生プログラム６４の実行や各周辺ブロックの制御を行う。ＣＰＵ５６は、上述の制御部１３、決定部１４、生成部１５、削除部１６、判定部１７、演算部３１及びアクセス制御部２９に相当する。
【００４３】
（携帯端末群の構成）
携帯端末群４０の各携帯端末４０ａ，・・・は、図４に示すように、主として、送受信部４１ａ，・・・、制御部４２ａ，・・・、表示部４３ａ，・・・及び入力部４４ａ，・・・を備える。
【００４４】
送受信部４１ａ，・・・は、ネットワーク３０及び制御部４２ａ，・・・に接続されている。表示部４３ａ，・・・及び入力部４４ａ，・・・は、それぞれ、制御部４２ａ，・・・に接続されている。
【００４５】
（携帯端末群の動作）
携帯端末群４０により録画予約（記録予約）を行う場合、利用者Ｐａ，・・・は、予約要求する番組の放送日時、チャンネル、記録モードなどを入力部４４ａ，・・・に入力する。記録モードは、記録時の画質（すなわち、記録データレート又はデータ圧縮率）を指定するためのモードである。入力部４４ａ，・・・は、予約要求する番組の放送日時、チャンネル、記録モードなどの情報を制御部４２ａ，・・・へ供給する。制御部４２ａ，・・・は、予約要求する番組の放送日時、チャンネル、記録モードなどの情報に基づいて、予約要求情報を生成する。予約要求情報は、利用者識別情報（例えば、送信元アドレス）と、予約要求コンテンツ識別情報（例えば、タイトル名やチャンネル番号）と、予約時間情報と、記録モードとが対応付けられた情報である（図６参照）。利用者識別情報は、他の利用者Ｐｂ，Ｐｃ，・・・を識別する情報である。予約要求コンテンツ識別情報は、予約要求コンテンツを識別する情報である。予約要求コンテンツは、記録媒体１９へ記録されることの予約が要求されるコンテンツである。予約時間情報は、予約要求された番組の時間の情報である。記録モードは、記録時の画質（すなわち、記録データレート又はデータ圧縮率）を指定するためのモードである。
【００４６】
制御部４２ａ，・・・は、このように生成した予約要求情報を送受信部４１ａ，・・・へ供給する。
【００４７】
送受信部４１ａ，・・・は、予約要求情報を制御部４２ａ，・・・から受け取る。送受信部４１ａ，・・・は、予約要求情報をネットワーク３０経由で記録再生装置１０へ送信する。
【００４８】
また、送受信部４１ａ，・・・は、記録削除依頼情報及び有効期限情報をネットワーク３０経由で記録再生装置１０から受信する。制御部４２ａ，・・・は、記録削除依頼情報及び有効期限情報を送受信部４１ａ，・・・から受け取り表示部４３ａ，・・・へ供給する。表示部４３ａ，・・・は、記録削除依頼情報及び有効期限情報を表示画面に表示する（図１９参照）。
【００４９】
入力部４４ａ，・・・には、表示画面を閲覧している利用者Ｐａ，Ｐｂ，・・・から指示が入力される。すなわち、入力部４４ａ，・・・には、記録削除依頼情報及び有効期限情報に応じて、記録削除許可情報が入力される。
【００５０】
制御部４２ａ，・・・は、記録削除許可情報を入力部４４ａ，・・・から受け取り送受信部４１ａ，・・・へ供給する。送受信部４１ａ，・・・は、記録削除許可情報をネットワーク３０経由で記録再生装置１０へ送信する。
【００５１】
（記録管理情報群の構成）
記録管理情報群２５は、利用者識別情報（例えば、予約者アドレス）と記録コンテンツ識別情報（例えば、タイトル名）とが対応付けられた情報（記録管理情報）の集まりである。記録管理情報群２５は、図５に示すように、主として、録画した日時欄２５１、タイトル欄２５２、チャンネル欄２５３及び予約者アドレス欄２５４を備える。
【００５２】
録画した日時欄２５１には、記録コンテンツが記録媒体１９に記録された日時が記録されている。タイトル欄２５２には、記録コンテンツ識別情報が記録されている。記録コンテンツ識別情報は、例えば、記録コンテンツのタイトル名を含む。チャネル欄２５３には、記録コンテンツが記録媒体１９に記録されたときのチャネル番号が記録されている。予約者アドレス欄２５４には、利用者識別情報が記録されている。利用者識別情報は、例えば、利用者Ｐａ，Ｐｂ，Ｐｃ，・・・の電子メールアドレスを含む。
【００５３】
この記録管理情報群２５が参照されることにより、記録コンテンツに対応する利用者が特定される。例えば、タイトル名「ＡＡＡ」のコンテンツは、予約者アドレス「ｂ＠ｍａｉｌ．ｎｅ．ｊｐ」の利用者Ｐｂにより記録されたものであることが分かる。
【００５４】
（予約要求情報の構成）
予約要求情報は、利用者識別情報（例えば、送信元アドレス）と、予約要求コンテンツ識別情報（例えば、タイトル名やチャンネル番号）と、予約時間情報と、記録モードとが対応付けられた情報である。予約要求情報は、図６に示すように、主として、ヘッダ１１ａ、宛先アドレス１１ｂ、送信元アドレス１１ｃ、予約日時情報１１ｄ、タイトル情報１１ｅ、チャネル情報１１ｆ及び記録モード情報１１ｇを備える。
【００５５】
ヘッダ１１ａは、ネットワーク３０において同期を取るために使用される情報である。宛先アドレス１１ｂは、ネットワーク３０における通信の宛先を示すものであり、ネットワーク３０における記録再生装置１０のアドレスである。送信元アドレス１１ｃは、利用者識別情報に相当する情報である。送信元アドレス１１ｃは、ネットワーク３０における通信の送信元を示すものであり、ネットワーク３０における携帯端末４０ａ，・・・のアドレスである。予約日時情報１１ｄは、予約要求コンテンツを記録媒体１９へ記録することを希望する開始日時と終了日時を示す情報であり、予約時間を示す情報である。タイトル情報１１ｅは、予約要求コンテンツ識別情報に相当する情報である。タイトル情報１１ｅは、例えば、予約要求コンテンツのタイトル名である。チャネル情報１１ｆは、例えば、予約要求する放送番組の放送チャネル番号を示す情報である。記録モード情報１１ｇは、記録時の画質（すなわち、記録データレート又はデータ圧縮率）を指定するためのモードを示す情報である。
【００５６】
この予約要求情報が参照されることにより、予約要求コンテンツに対応する他の利用者が特定される。例えば、タイトル名１１ｅの予約を希望しているのは、送信元アドレス１１ｃの利用者Ｐｂ，・・・であることが分かる。
【００５７】
（利用容量情報群の構成）
利用容量情報群２６は、記録コンテンツ識別情報（例えば、タイトル名）と記録コンテンツ容量情報（例えば、データ容量）とが対応付けられた情報（利用容量情報）の集まりである。利用容量情報群２６は、図７に示すように、主として、タイトル欄２６１及びデータ容量欄２６２を備える。
【００５８】
タイトル欄２６１には、記録コンテンツ識別情報が記録されている。記録コンテンツ識別情報は、例えば、記録コンテンツのタイトル名を含む。データ容量欄２６２には、記録コンテンツのデータ容量が記録されている。
【００５９】
この利用容量情報群２６が参照されることにより、記録コンテンツに対応するデータ容量が特定される。例えば、タイトル名「ＡＡＡ」の記録コンテンツのデータ容量は、Ｃ１であることが分かる。
【００６０】
（予約管理情報群の構成）
予約管理情報群２７は、利用者識別情報（例えば、予約者アドレス）と予約済みコンテンツ識別情報（例えば、タイトル名）とが対応付けられた情報（予約管理情報）の集まりである。予約管理情報群２７は、図８に示すように、主として、予約日時欄２７１、タイトル欄２７２、チャンネル欄２７３、予約者アドレス欄２７４及び予約状態欄２７５を備える。
【００６１】
予約日時欄２７１には、予約要求コンテンツが記録媒体１９に記録されることを希望する日時が記録されている。タイトル欄２７２には、予約要求コンテンツ識別情報が記録されている。予約要求コンテンツ識別情報は、例えば、予約要求コンテンツのタイトル名を含む。チャネル欄２７３には、予約要求コンテンツが記録媒体１９に記録されるときのチャネル番号が記録されている。予約者アドレス欄２７４には、利用者識別情報が記録されている。利用者識別情報は、例えば、他の利用者Ｐｂ，Ｐｃ，・・・の電子メールアドレスを含む。予約状態欄２７５は、予約の状態が記録されている。予約状態欄２７５には、予約が確定していれば「確定」が記録され、予約が確定していなければ「仮」が記録される。
【００６２】
この予約管理情報群２７が参照されることにより、予約要求コンテンツに対応する他の利用者が特定される。例えば、タイトル名「ＮＮＮ」の予約要求コンテンツは、予約者アドレス「ｂ＠ｍａｉｌ．ｎｅ．ｊｐ」の利用者Ｐｂにより予約が希望されていることが分かる。
【００６３】
（媒体容量情報の構成）
媒体容量情報２８は、媒体識別情報と媒体容量情報とが対応付けられた情報である。媒体容量情報２８は、図９に示すように、主として、媒体識別情報欄２８１と媒体容量情報欄２８２とを備える。
【００６４】
媒体識別情報欄２８１には、媒体識別情報が記録されている。媒体容量情報欄２８２には、媒体容量情報が記録されている。
【００６５】
この媒体容量情報２８が参照されることにより、記録媒体ごとの記憶容量が特定される。例えば、媒体識別情報「記録媒体１９」の記録媒体の記憶容量は、Ｃ１９であることが分かる。
【００６６】
（複数の利用者によりネットワーク経由で記録媒体が利用される記録再生方法）
複数の利用者によりネットワーク経由で記録媒体が利用される記録再生方法を、図１０に示すフローチャートを参照して説明する。
【００６７】
図１０に示すステップＳ１では、録画予約が受信される。すなわち、携帯端末群４０により録画予約（記録予約）を行う場合、利用者Ｐａ，・・・は、予約要求する番組の放送日時、チャンネル、記録モードなどを入力部４４ａ，・・・に入力する。記録モードは、記録時の画質（すなわち、記録データレート又はデータ圧縮率）を指定するためのモードである。入力部４４ａ，・・・は、予約要求する番組の放送日時、チャンネル、記録モードなどの情報を制御部４２ａ，・・・へ供給する。制御部４２ａ，・・・は、予約要求する番組の放送日時、チャンネル、記録モードなどの情報に基づいて、予約要求情報を生成する。予約要求情報は、利用者識別情報（例えば、送信元アドレス）と、予約要求コンテンツ識別情報（例えば、タイトル名やチャンネル番号）と、予約時間情報と、記録モードとが対応付けられた情報である（図６参照）。利用者識別情報は、他の利用者Ｐｂ，Ｐｃ，・・・を識別する情報である。予約要求コンテンツ識別情報は、予約要求コンテンツを識別する情報である。予約要求コンテンツは、記録媒体１９へ記録されることの予約が要求されるコンテンツである。予約時間情報は、予約要求された番組の時間の情報である。記録モードは、記録時の画質（すなわち、記録データレート又はデータ圧縮率）を指定するためのモードである。
【００６８】
例えば、携帯端末４０ａ，・・・の入力部４４ａ，・・・にタイトル名「ＱＱＱ」が入力されると、表示部４３ａ，・・・には図１１に示すような情報が表示される。そして、利用者Ｐａ，・・・により「決定」ボタンが押されると、制御部４２ａ，・・・は、予約要求情報を送受信部４１ａ，・・・へ供給する。
【００６９】
送受信部４１ａ，・・・は、予約要求情報を制御部４２ａ，・・・から受け取る。送受信部４１ａ，・・・は、予約要求情報をネットワーク３０経由で記録再生装置１０へ送信する。
【００７０】
記録再生装置１０の受信部１１は、予約要求情報をネットワーク３０経由で他の利用者Ｐｂ，Ｐｃ，・・・から受信する。受信部１１は、予約要求情報を制御部１３へ渡す。
【００７１】
ステップＳ２では、空き容量が検出される。すなわち、記録再生装置１０の演算部３１は、制御部１３経由で利用容量記憶部２２を参照して、利用容量情報群２６を取得する。演算部３１は、制御部１３経由で媒体容量記憶部２４を参照して、媒体容量情報２８を取得する。演算部３１は、利用容量情報群２６及び媒体容量情報２８に基づいて、記録媒体１９の空き容量を計算する。
【００７２】
例えば、記憶媒体１９の記憶容量Ｃ１９（図９参照）から、現在記録されているコンテンツのデータ容量の合計Ｃ１＋Ｃ２＋・・・＋Ｃ１３（図７参照）を引いたものが、記録媒体１９の空き容量
ΔＣ０＝Ｃ１９−（Ｃ１＋Ｃ２＋・・・＋Ｃ１３）                      （１）
となる。それに対して、現在予約されているコンテンツ「ＮＮＮ」、「ＯＯＯ」、「ＰＰＰ」（図８参照）のデータ容量をそれぞれＣ１４，Ｃ１５，Ｃ１６とすれば、さらに予約が希望されているコンテンツ「ＱＱＱ」のために確保されている実質的な空き容量は、
ΔＣ＝Ｃ１９−（Ｃ１＋Ｃ２＋・・・＋Ｃ１３）
−（Ｃ１４＋Ｃ１５＋Ｃ１６）                                  （２）
となる。
【００７３】
ステップＳ３では、予約可能であるか否かが判定される。すなわち、記録再生装置１０の演算部３１は、予約要求情報を制御部１３から受け取る。演算部３１は、予約要求された番組の時間の情報と、記録モードの情報とに基づいて、予約容量を演算する。予約容量は、予約要求コンテンツのデータ容量である。演算部３１は、予約容量情報を制御部１３へ渡す。予約容量情報は、予約容量の情報である。
【００７４】
判定部１７は、予約容量情報を制御部１３から受け取る。また、判定部１７は、記録媒体１９の空き容量の情報を、制御部１３経由で演算部３１から受け取る。判定部１７は、予約容量情報と記録媒体１９の空き容量の情報とに基づいて、予約要求コンテンツのデータ容量が記録媒体１９の空き容量以下であるか否かを判断し、予約要求コンテンツを記録媒体へ記録することが可能か否かを判定する。判定部１７は、予約要求コンテンツのデータ容量が記録媒体１９の空き容量以下であると判断する場合に、予約要求コンテンツを記録媒体１９へ記録することが可能であると判定する。判定部１７は、予約要求コンテンツのデータ容量が記録媒体１９の空き容量より大きいと判断する場合に、予約要求コンテンツを記録媒体１９へ記録することが不可能であると判定する。
【００７５】
例えば、上記式（２）の場合、コンテンツ「ＱＱＱ」のデータ容量がＣ１７であるとする。このとき、
Ｃ１７≦ΔＣ                                                        （３）
である場合に、予約要求コンテンツを記録媒体１９へ記録することが可能であると判定される。また、
Ｃ１７＞ΔＣ                                                        （４）
である場合に、予約要求コンテンツを記録媒体１９へ記録することが不可能であると判定される。
【００７６】
予約要求コンテンツを記録媒体１９へ記録することが可能であると判定される場合、ステップＳ９へ進められ、予約要求コンテンツを記録媒体１９へ記録することが不可能であると判定される場合、ステップＳ４へ進められる。
【００７７】
ステップＳ４では、自分のコンテンツを削除するか否かが判断される。すなわち、記録再生装置１０の判定部１７は、予約要求コンテンツを記録媒体１９へ記録することが不可能である旨の情報を制御部１３へ渡す。制御部１３は、予約管理記憶部２３にアクセスし、予約管理情報群２７を書き換える。これにより、予約管理情報群２７は、例えば、図８に示す状態から図１２に示す状態になる。例えば、上記の式（４）で示す状態にあるので、予約要求コンテンツ「ＱＱＱ」を記録媒体１９へ記録することが不可能であることを示すために、予約状態欄２７５が「仮」にされる。そして、予約要求コンテンツ「ＱＱＱ」のレコードが予約管理情報群２７に追加される。
【００７８】
一方、送信部１２は、予約要求コンテンツを記録媒体１９へ記録することが不可能である旨の情報を、制御部１３から受け取り、予約要求情報を送信してきた携帯端末（ここでは、利用者Ｐａの携帯端末４０ａとする）へネットワーク３０経由で送信する。携帯端末４０ａ，・・・は、その情報を受信し表示部４３ａ，・・・に表示する（図１３参照）。そして、表示部４３ａ，・・・を閲覧している利用者Ｐａにより、自分のコンテンツを削除するか否かが判断される。
【００７９】
自分のコンテンツを削除すると判断された場合、ステップＳ５へ進められ、自分のコンテンツを削除しないと判断された場合、ステップＳ９へ進められる。
【００８０】
ステップＳ５では、削除画面が表示される。すなわち、携帯端末４０ａ，・・・入力部４４ａ，・・・には、自分のコンテンツを削除する旨の情報が入力される。そして、その情報は、携帯端末４０ａ，・・・からネットワーク３０を経由して記録再生装置１０へ送信される。
【００８１】
記録再生装置１０の受信部１１は、自分のコンテンツを削除する旨の情報を、予約要求を送信した利用者Ｐａから受信し制御部１３経由で決定部１４へ供給する。決定部１４は、制御部１３経由で記録管理記憶部２１の記録管理情報群２５を参照し、削除する候補を、予約要求を送信した利用者Ｐａのコンテンツ（例えば、「ＣＣＣ」、「ＦＦＦ」、「ＧＧＧ」）に決定する。
【００８２】
送信部１２は、削除する候補の情報を、制御部１３経由で決定部１４から受け取り、ネットワーク３０経由で利用者Ｐａの携帯端末４０ａ，・・・へ送信する。携帯端末４０ａ，・・・は、その情報を受信し表示部４３ａ，・・・に表示する（図１４参照）。例えば、コンテンツ「ＣＣＣ」、「ＦＦＦ」、「ＧＧＧ」が削除する候補として表示部４３ａ，・・・に表示される。
【００８３】
ステップＳ６では、指定されたコンテンツが削除される。すなわち、表示部４３ａ，・・・を閲覧している利用者Ｐａにより、削除するコンテンツを指定する情報が入力部４４ａ，・・・に入力される。そして、指定されたコンテンツの情報は、携帯端末４０ａ，・・・からネットワーク３０経由で記録再生装置１０へ送信される。例えば、表示部４３ａ，・・・に表示されたコンテンツのうち、コンテンツ「ＣＣＣ」が選択される。
【００８４】
記録再生装置１０の受信部１１は、指定されたコンテンツの情報を、利用者Ｐａから受信し制御部１３へ供給する。サクセス制御部２９は、削除を要求する利用者Ｐａと、削除されるコンテンツのアクセス権を有する者Ｐａ，・・・とが一致していることを確認し、制御部１３に削除を許可させる。削除部１６は、指定されたコンテンツの情報を制御部１３から受け取り、制御部１３経由で記録部材１９から指定されたコンテンツ（例えば、「ＣＣＣ」）を削除する。そして、削除部１６は、制御部１３経由で記録管理記憶部２１にアクセスして記録管理情報群２５を書き換える。例えば、記録管理情報群２５が図５で示される場合、コンテンツ「ＣＣＣ」の行が削除される。
【００８５】
ステップＳ７では、記憶容量を確保できた否かが判断される。すなわち、記録再生装置１０の制御部１３は、削除が完了した旨の情報を削除部１６から受け取ると、ステップＳ２及びステップＳ３と同様の処理により、予約要求コンテンツを記録媒体１９へ記録することが可能か否かを判定する。
【００８６】
予約要求コンテンツを記録媒体１９へ記録することが可能であると判定される場合、記憶容量を確保できたと判断されて、ステップＳ８へ進められる。また、予約要求コンテンツを記録媒体１９へ記録することが不可能であると判定される場合、記憶容量を確保できていないと判断されて、ステップＳ４へ進められる。
【００８７】
なお、２回目以降のステップＳ４では、携帯端末４０ａ，・・・の表示部４３ａ，・・・には、図１３で示す画面の代わりに図１５で示すような画面が表示される。そして、表示部４３ａ，・・・を閲覧している利用者Ｐａにより、依然として、記憶容量を確保できていないことが把握される。
【００８８】
ステップＳ８では、予約が確定する。すなわち、記録再生装置１０の制御部１３は、予約管理記憶部２３にアクセスして予約管理情報群２７を書き換える。例えば、図１２に示す場合、コンテンツ「ＱＱＱ」の予約状態欄２７５が「仮」から「確定」に書き換えられる。
【００８９】
また、送信部１２は、コンテンツ「ＱＱＱ」の予約が確定した旨の情報を制御部１３から受け取りネットワーク３０経由で利用者Ｐａの携帯端末４０ａ，・・・へ送信する。携帯端末４０ａ，・・・は、その情報を受信し表示部４３ａ，・・・に表示する（図１６参照）。例えば、コンテンツ「ＱＱＱ」の予約が確定したことが表示部４３ａ，・・・に表示される。
【００９０】
ステップＳ９では、他のユーザに削除依頼するか否かが判断される。他のユーザに削除依頼すると判断された場合、ステップＳ１０へ進められ、他のユーザに削除依頼しないと判断された場合、ステップＳ１５へ進められる。
【００９１】
ステップＳ１０では、返信期限が設定される。すなわち、記録再生装置１０の入力部４４ａ，・・・には、削除を依頼する旨の情報と有効期限（返信期限）を指定する情報とが入力される（図１７参照）。そして、それらの情報は、携帯端末４０ａ，・・・からネットワーク３０を経由して記録再生装置１０へ送信される。
【００９２】
ステップＳ１１では、削除候補コンテンツリストが選択される。すなわち、記録再生装置１０の受信部１１は、削除を依頼する旨の情報と有効期限を指定する情報とを受信して制御部１３経由で決定部１４へ供給する。決定部１４は、また、判定結果に関する情報を制御部１３から受け取る。決定部１４は、予約要求コンテンツを記録媒体へ記録することが不可能であるという判定結果と、削除を依頼する旨の情報及び有効期限を指定する情報とを受け取った場合、記録媒体１９から削除する候補を記録コンテンツのいずれかに決定する。例えば、決定部１４は、記録管理記憶部２１の記録管理情報群２５を参照し、削除する候補を、予約情報を送信した利用者Ｐａ以外の利用者Ｐｂ，・・・がアクセス権を有するコンテンツの中から決定する。例えば、図１８の場合、削除する候補は、記録管理情報群２５において、ハイライトで示されているコンテンツ「ＡＡＡ」、「ＢＢＢ」、「ＤＤＤ」及び「ＨＨＨ」に決定される。
【００９３】
ステップＳ１２では、記録削除依頼情報が生成される。すなわち、記録再生装置１０の生成部１５は、削除する候補を記録コンテンツのいずれかに決定した旨の情報を制御部１３から受け取る。そして、生成部１５は、削除する候補を決定部１４が記録コンテンツのいずれかに決定したことに基づいて、記録削除依頼情報を生成する。記録削除依頼情報は、決定された記録コンテンツを記録媒体１９から削除する依頼に関する情報である（図１７参照）。これにより、削除する候補の情報が記録削除依頼情報に反映される。生成部１５は、記録削除依頼情報を制御部１３へ渡す。
【００９４】
送信部１２は、記録削除依頼情報を、制御部１３から受け取り、ネットワーク３０経由で、予約情報を送信した利用者Ｐａ以外の利用者Ｐｂ，・・・の携帯端末４０ｂ，・・・に送信する。すなわち、送信部１２は、予約要求コンテンツを記録媒体１９へ記録することが不可能であると判定部１７が判定した場合に、記録削除依頼情報をネットワーク３０経由で利用者Ｐｂ，Ｐｃ，・・・に送信する。また、送信部１２は、有効期限情報をネットワーク３０経由で利用者Ｐｂ，・・・の携帯端末４０ｂ，・・・にさらに送信する。有効期限情報は、記録コンテンツを記録媒体１９から削除する依頼の有効期限に関する情報である。
【００９５】
他の利用者Ｐｂ，・・・の携帯端末４０ｂ，・・・は、記録削除依頼情報及び有効期限情報を受信し表示部４３ｂ，・・・に表示する。表示部４３ｂ，・・・を閲覧している利用者Ｐｂ，・・・により、記録削除依頼情報及び有効期限情報が把握される。
【００９６】
ステップＳ１３では、タイムアウトであるか否かが判断される。すなわち、記録再生装置１０の制御部１３は、タイマ（図示せず）を参照して、有効期限情報に示された有効期限に達しているか否かを判断する。有効期限に達していると判断される場合、タイムアウトであると判断されてステップＳ１５へ進められ、有効期限に達していないと判断される場合、タイムアウトでないと判断されてステップＳ１４へ進められる。
【００９７】
ステップＳ１４では、記録容量を確保できたか否かが判断される。すなわち、他の利用者Ｐｂ，・・・により、記録コンテンツを記録媒体１９から削除することを許可するか否かが判断される。記録コンテンツを記録媒体１９から削除することを許可すると判断された場合、記録削除許可情報が入力部４４ｂ，・・・に入力される。携帯端末４０ｂ，・・・は、記録削除許可情報が入力されればネットワーク３０経由で記録再生装置１０へ送信する。
【００９８】
記録再生装置１０の受信部１１は、記録削除許可情報をネットワーク３０経由で利用者Ｐｂ，Ｐｃ，・・・から受信する。記録削除許可情報は、記録コンテンツを記録媒体１９から削除する許可に関する情報である。受信部１１は、記録削除許可情報を制御部１３へ渡す。
【００９９】
削除部１６は、記録削除許可情報を制御部１３から受け取り、制御部１３経由で記録媒体１９にアクセスするとともに、記録コンテンツを記録媒体１９から削除する。すなわち、削除部１６は、記録削除許可情報を受信部１１が受信したことに基づいて、記録コンテンツを記録媒体１９から削除する。
【０１００】
また、記録再生装置１０の制御部１３は、ステップＳ２及びステップＳ３と同様の処理により、予約要求コンテンツを記録媒体１９へ記録することが可能か否かを判定する。
【０１０１】
予約要求コンテンツを記録媒体１９へ記録することが可能であると判定される場合、記憶容量を確保できたと判断されて、ステップＳ８へ進められる。また、予約要求コンテンツを記録媒体１９へ記録することが不可能であると判定される場合、記憶容量を確保できていないと判断されて、ステップＳ１３へ進められる。
【０１０２】
なお、ステップＳ１４からステップＳ８へ進められた場合、ステップＳ８において、携帯端末４０ａ，・・・の表示部４３ａ，・・・には、図１６で示す画面の代わりに図２１で示す画面が表示される。そして、表示部４３ａ，・・・を閲覧している利用者Ｐａにより、記憶容量を確保できていることが把握される。
【０１０３】
ステップＳ１５では、予約が取り消される。すなわち、記録再生装置１０の制御部１３は、予約が失敗したと判断し、予約管理記憶部２３へアクセスし予約管理情報群２７を書き換えて予約を取り消す。例えば、予約管理情報群２７が図１２に示される状態である場合、予約状態欄２７５が「仮」になっているコンテンツ「ＱＱＱ」のレコードが予約管理情報群２７から削除される。これにより、予約管理情報群２７は図８で示す状態（予約が取り消された状態）になる。
【０１０４】
また、制御部１３は、予約が取り消された旨の情報をネットワーク３０経由で、利用者Ｐａの携帯端末４０ａへ送信する。
【０１０５】
携帯端末４０ａは、予約が取り消された旨の情報を受信し表示部４３ａに表示する（図２０参照）。そして、利用者Ｐａにより、予約が取り消されたことが把握される。
【０１０６】
（第１実施形態に関する特徴）
（１）
ここでは、記録再生装置１０のアクセス制御部２９は、記録管理情報２５に基づいて、記録媒体１９に記録された記録コンテンツへのアクセスを、記録した利用者Ｐａ，・・・に制限する。これにより、例えば、コンテンツごとに特定の利用者に対するアクセス権が設定された状態で、複数のコンテンツが記録媒体１９に記録されるようになる。
【０１０７】
また、送信部１２は、予約要求情報を受信部１１が受信したことに基づいて、記録削除依頼情報をネットワーク３０経由で予約依頼情報を送信した利用者Ｐａ以外の利用者の携帯端末に送信する。他の利用者の携帯端末の表示画面には、記録削除依頼情報が表示される。これにより、記録コンテンツを記録媒体１９から削除することを他の利用者が許可すれば、記録媒体１９において記録を予約するための残り容量が確保される。
【０１０８】
このように、アクセス権が設定された状態で複数のコンテンツを記録媒体１９に記録でき、記録媒体１９において記録を予約するための残り容量が確保される。これにより、例えば複数の利用者による記録及びその予約は円滑に行われる。
【０１０９】
（２）
ここでは、記録再生装置１０の生成部１５は、削除する候補を決定部１４が記録コンテンツのいずれかに決定したことに基づいて、記録削除依頼情報を生成する。これにより、削除する候補の情報を記録削除依頼情報に反映させて他の利用者に送信することができるようになっている。
【０１１０】
（３）
ここでは、記録再生装置１０の判定部１７は、予約容量情報及び利用容量情報に基づいて、予約要求コンテンツを記録媒体１９へ記録することが可能か否かを判定する。そして、記録再生装置１０の送信部１２は、予約要求コンテンツを記録媒体１９へ記録することが不可能であると判定した場合に、その旨の情報を、予約依頼情報を送信した利用者に対して送信する。その結果、予約依頼応報を送信した利用者から、他の利用者に対する削除依頼があった場合、記録削除依頼情報をネットワーク３０経由で他の利用者に送信する。これにより、記録媒体１９に記録されたコンテンツが必要以上に削除されることなく、記録削除依頼情報が他の利用者に送信されるようになる。
【０１１１】
（４）
ここでは、記録管理記憶部２１に記憶された記録管理情報群２５における利用者識別情報は、利用者のメールアドレスを含む。受信部１１が受信する予約要求情報における利用者識別情報は、他の利用者のメールアドレスを含む。これらにより、利用者と他の利用者とは簡易に識別される。
【０１１２】
（５）
ここでは、記録再生装置１０の送信部１２は、削除依頼の要求を受信部１１が受信したことに基づいて、有効期限情報をネットワーク３０経由で他の利用者にさらに送信する。これにより、記録削除依頼情報に対して他の利用者が速やかに対応するように促される。
【０１１３】
（変形例）
（Ａ）送信部１２は、予約削除依頼情報をネットワーク３０経由で利用者Ｐａ，・・・の携帯端末４０ａ，・・・にさらに送信してもよい。ここで、予約削除依頼情報は、予約管理情報を予約管理記憶部２３から削除する依頼に関する情報である。例えば、図８に示す場合、予約管理情報群２７において、利用者Ｐａにより予約されているコンテンツ「ＯＯＯ」が削除される情報として決定され、予約削除依頼情報に含められてもよい。
【０１１４】
この場合、予約容量情報を予約管理記憶部２３から削除することを利用者Ｐａ，・・・が許可すれば、記録媒体１９において記録を予約するための残り容量はさらに確保される。
【０１１５】
（Ｂ）予約要求情報及び予約時間情報に基づいて予約容量情報を生成するのは、各携帯端末４０ａ，・・・における制御部４２ａであってもよい。
【０１１６】
（Ｃ）記録媒体１９に記録される複数のコンテンツは、無線放送で配信されるデータ、有線放送で配信されるデータ及びネットワーク３０を経由して配信されるデータの少なくとも１つであってもよい。これにより、記録媒体１９へ記録されることの予約が要求されるコンテンツは多様なものとなる。
【０１１７】
（Ｄ）送信部１２は、予約要求情報を受信部１１が受信したことに基づいて、記録削除依頼情報を、ネットワーク３０経由で周期的に複数回利用者Ｐａ，・・・に送信してもよい。これにより、記録削除依頼情報に対して利用者Ｐａ，・・・はさらに速やかに対応するように促される。
【０１１８】
（Ｅ）図２２に示すように、記録再生システム１ｉは、記録再生装置１０の代わりに記録再生装置１０ｉを備えてもよい。すなわち、記録再生装置１０ｉは、図２３に示すように、制御部１３の代わりに制御部１３ｉを備え、容量低減部１８ｉをさらに備える。
【０１１９】
容量低減部１８ｉは、予約要求コンテンツを記録媒体１９へ記録することが可能か否かの判定結果を、制御部１３ｉ経由で判定部１７から受け取る。容量低減部１８ｉは、予約要求コンテンツを記録媒体へ記録することが不可能であるという判定結果を受け取った場合、記録媒体１９に記録されているコンテンツの低画質変換処理、及び記録媒体１９に記録されているコンテンツの圧縮処理の少なくとも一方を行う。すなわち、容量低減部１８ｉは、予約要求情報を受信部１１が受信したことに基づいて、記録媒体１９に記録されているコンテンツの低画質変換処理、及び記録媒体１９に記録されているコンテンツの圧縮処理の少なくとも一方を行う。
【０１２０】
これにより、記録媒体１９において記録を予約するための残り容量は容易に確保される。
【０１２１】
＜本発明の好適な第２実施形態に係る記録再生システム＞
本発明の好適な第２実施形態に係る記録再生システムについて、図２４〜図２６を参照して説明する。なお、第１実施形態と異なる部分を中心に説明し、同様の部分については説明を省略する。
【０１２２】
記録再生システム１００は、その基本的な構成は第１実施形態と同様であるが、記録再生装置１０の代わりに記録再生装置１１０を備え、ＩＳＰ１８０をさらに備える点で、第１実施形態と異なる。ＩＳＰは、Ｉｎｔｅｒｎｅｔ  Ｓｅｒｖｉｃｅ  Ｐｒｏｖｉｄｅｒの略である。
【０１２３】
（記録再生装置の構成及び動作）
記録再生装置１１０は、図２５に示すように、受信部１１の代わりに受信部１１１を備え、送信部１２の代わりに送信部１１２を備え、制御部１３の代わりに制御部１１３を備える。
【０１２４】
受信部１１１は、予約要求情報などの情報を、他の利用者Ｐｂ，・・・の携帯端末４０ｂ，・・・から直接受信する代わりに、ＩＳＰ１８０から受信する点で、受信部１１と異なる。
【０１２５】
送信部１１２は、記録削除依頼情報などの情報を、利用者Ｐａ，・・・の携帯端末４０ａ，・・・へ直接送信する代わりに、ＩＳＰ１８０へ送信する点で、送信部１２と異なる。
【０１２６】
他の点は、第１実施形態と同様である。
【０１２７】
（ＩＳＰの構成及び動作）
ＩＳＰ１８０は、図２６に示すように、主として、受信部１８１、送信部１８２、制御部１８３、記録管理記憶部１９１、利用容量記憶部１９２、予約管理記憶部１９３及び媒体容量記憶部１９４を備える。
【０１２８】
受信部１８１及び送信部１８２は、それぞれ、制御部１８３及びネットワーク３０に接続されている。記録管理記憶部１９１、利用容量記憶部１９２、予約管理記憶部１９３及び媒体容量記憶部１９４は、いずれも、制御部１３に接続されている。
【０１２９】
記録管理記憶部１９１は、記録管理情報群１９５を記憶する。記録管理情報群１９５は、記録再生装置１１０における記録管理情報群２５と同様の情報である。
【０１３０】
利用容量記憶部１９２は、利用容量情報群１９６を記憶する。利用容量情報群１９６は、記録再生装置１１０における利用容量情報群２６と同様の情報である。
【０１３１】
予約管理記憶部１９３は、予約管理情報群１９７を記憶する。予約管理情報群１９７は、記録再生装置１１０における予約管理情報群２７と同様の情報である。
【０１３２】
媒体容量記憶部１９４は、媒体容量情報１９８を記憶する。媒体容量情報１９８は、記録再生装置１１０における媒体容量情報２８と同様の情報である。
【０１３３】
受信部１８１は、記録削除依頼情報などの情報をネットワーク３０経由で記録再生装置１１０から受信する。制御部１８３は、記録削除依頼情報などの情報を受信部１８１から受け取る。制御部１８３は、記録削除依頼情報における記録コンテンツに対応した送信先アドレス（例えば、利用者Ｐａ，・・・のアドレス）を、記録管理記憶部１９１の記録管理情報群１９５を参照することにより特定する。送信部１８２は、記録削除依頼情報などの情報と、送信先アドレスの情報とを、制御部１８３から受け取りネットワーク３０経由で、利用者Ｐａ，・・・の携帯端末４０ａ，・・・へ送信する。
【０１３４】
受信部１８１は、予約要求情報などの情報をネットワーク３０経由で他の利用者Ｐｂ，・・・の携帯端末４０ｂ，・・・から受信する。制御部１８３は、予約要求情報などの情報を受信部１８１から受け取る。制御部１８３は、送信先アドレス（例えば、記録再生装置１１０のアドレス）を特定する。送信部１８２は、予約要求情報などの情報と、送信先アドレスの情報とを、制御部１８３から受け取りネットワーク３０経由で、記録再生装置１１０へ送信する。
【０１３５】
なお、受信部１８１は、記録再生装置１１０において記録管理情報群２５に変更があった場合、変更後の記録管理情報群をネットワーク３０経由で記録再生装置１１０から受信する。そして、制御部１１３は、変更後の記録管理情報群を受信部１８１から受け取り、変更後の記録管理情報群に基づいて、記録管理記憶部１９１にアクセスして記録管理情報群１９５を更新する。これにより、記録管理記憶部１９１の記録管理情報群１９５が記録再生装置１１０における記録管理情報群２５と同様の情報である状態が維持される。利用容量記憶部１９２、予約管理記憶部１９３及び媒体容量記憶部１９４に関しても記録管理記憶部１９１と同様である。
【０１３６】
（第２実施形態の特徴）
アクセス権が設定された状態で複数のコンテンツを記録媒体１９に記録でき、記録媒体１９において記録を予約するための記憶容量が確保される点は、第１実施形態と同様である。したがって、このような記録再生システム１００によっても、例えば複数の利用者による記録及びその予約は円滑に行われる。
【０１３７】
＜本発明の好適な第３実施形態に係る記録再生システム＞
本発明の好適な第３実施形態に係る記録再生システムについて、図２７〜図２９を参照して説明する。なお、第１実施形態及び第２実施形態と異なる部分を中心に説明し、同様の部分については説明を省略する。
【０１３８】
記録再生システム２００は、その基本的な構成は第１実施形態と同様であるが、記録再生装置１０の代わりに記録再生装置２１０を備え、ＩＳＰ２８０をさらに備える点で、第１実施形態及び第２実施形態と異なる。ＩＳＰは、Ｉｎｔｅｒｎｅｔ  Ｓｅｒｖｉｃｅ  Ｐｒｏｖｉｄｅｒの略である。
【０１３９】
（ＩＳＰの構成及び動作）
記録再生装置２１０は、図２８に示すように、受信部１１の代わりに受信部２１１を備え、送信部１２の代わりに送信部２１２を備え、制御部１３の代わりに制御部２１３を備え、決定部１４、生成部１５、判定部１７及び演算部３１を備えない。
【０１４０】
受信部２１１は、第１実施形態において決定部１４、生成部１５、判定部１７及び演算部３１から制御部１３へ供給される情報を、ネットワーク３０経由でＩＳＰ２８０から受信し制御部２１３へ供給する。
【０１４１】
送信部２１２は、第１実施形態において決定部１４、生成部１５、判定部１７及び演算部３１に制御部１３から供給される情報を、制御部２１３から受け取りネットワーク３０経由でＩＳＰ２８０へ送信する。
【０１４２】
他の点は、第１実施形態及び第２実施形態と同様である。
【０１４３】
（ＩＳＰの構成及び動作）
ＩＳＰ２８０は、図２９に示すように、決定部２８４、生成部２８５、判定部２８７及び演算部２３１をさらに備える点で、第１実施形態及び第２実施形態と異なる。
【０１４４】
決定部２８４、生成部２８５、判定部２８７及び演算部２３１の動作は、それぞれ、記録再生装置１０における決定部１４、生成部１５、判定部１７及び演算部３１の動作と同様である。
【０１４５】
（第３実施形態の特徴）
アクセス権が設定された状態で複数のコンテンツを記録媒体１９に記録でき、記録媒体１９において記録を予約するための記憶容量が確保される点は、第１実施形態及び第２実施形態と同様である。したがって、このような記録再生システム２００によっても、例えば複数の利用者による記録及びその予約は円滑に行われる。
【図面の簡単な説明】
【０１４６】
【図１】本発明の好適な第１実施形態に係る記録再生システムの構成図。
【図２】本発明の好適な第１実施形態における記録再生装置の構成図。
【図３】本発明の好適な第１実施形態における記録再生装置のハードウェア構成図。
【図４】本発明の好適な第１実施形態における携帯端末の構成図。
【図５】記録管理情報群の構成を示す図。
【図６】予約要求情報の構成を示す図。
【図７】利用容量情報群の構成を示す図。
【図８】予約管理情報群の構成を示す図。
【図９】媒体容量情報の構成を示す図。
【図１０】複数の利用者によりネットワーク経由で記録媒体が利用される記録再生方法を示すフローチャート。
【図１１】携帯端末の表示部に表示される画面の例。
【図１２】予約管理情報群の構成を示す図。
【図１３】携帯端末の表示部に表示される画面の例。
【図１４】携帯端末の表示部に表示される画面の例。
【図１５】携帯端末の表示部に表示される画面の例。
【図１６】携帯端末の表示部に表示される画面の例。
【図１７】携帯端末の表示部に表示される画面の例。
【図１８】記録管理情報群において削除される候補を示す図。
【図１９】携帯端末の表示部に表示される画面の例。
【図２０】携帯端末の表示部に表示される画面の例。
【図２１】携帯端末の表示部に表示される画面の例。
【図２２】本発明の好適な第１実施形態の変形例に係る記録再生システムの構成図。
【図２３】本発明の好適な第１実施形態の変形例における記録再生装置の構成図。
【図２４】本発明の好適な第２実施形態に係る記録再生システムの構成図。
【図２５】本発明の好適な第２実施形態における記録再生装置の構成図。
【図２６】本発明の好適な第２実施形態におけるＩＳＰの構成図。
【図２７】本発明の好適な第３実施形態に係る記録再生システムの構成図。
【図２８】本発明の好適な第３実施形態における記録再生装置の構成図。
【図２９】本発明の好適な第３実施形態におけるＩＳＰの構成図。
【符号の説明】
【０１４７】
１，１ｉ，１００，２００  記録再生システム
１０，１０ｉ，１１０，２１０  記録再生装置
１１  受信部
１２  送信部
１４  決定部
１５  生成部
１６  削除部
１７  判定部
２１  記録管理記憶部
２２  利用容量記憶部
２３  予約管理記憶部
１８ｉ  容量低減部
３０  ネットワーク
４０  携帯端末群
４０ａ等  携帯端末
１８０，２８０  ＩＳＰ
【図１】
2007325232.tif 000003
【図２】
2007325232.tif 000004
【図３】
2007325232.tif 000005
【図４】
2007325232.tif 000006
【図５】
2007325232.tif 000007
【図６】
2007325232.tif 000008
【図７】
2007325232.tif 000009
【図８】
2007325232.tif 000010
【図９】
2007325232.tif 000011
【図１０】
2007325232.tif 000012
【図１１】
2007325232.tif 000013
【図１２】
2007325232.tif 000014
【図１３】
2007325232.tif 000015
【図１４】
2007325232.tif 000016
【図１５】
2007325232.tif 000017
【図１６】
2007325232.tif 000018
【図１７】
2007325232.tif 000019
【図１８】
2007325232.tif 000020
【図１９】
2007325232.tif 000021
【図２０】
2007325232.tif 000022
【図２１】
2007325232.tif 000023
【図２２】
2007325232.tif 000024
【図２３】
2007325232.tif 000025
【図２４】
2007325232.tif 000026
【図２５】
2007325232.tif 000027
【図２６】
2007325232.tif 000028
【図２７】
2007325232.tif 000029
【図２８】
2007325232.tif 000030
【図２９】
2007325232.tif 000031